(57)【特許請求の範囲】
【請求項１】
共同溝等の蓋１に固着されるベ−ス板２と；ベ−ス板２に垂直に固着され、内周面に雌ねじ部４を高さ方向に形成した固定筒体３と；固定筒体３に挿入され、固定筒体３の雌ねじ部４に嵌められる調整用雄ねじ部７を上端軸部６の外周面に所定長さに形成し、横断面において溝内壁９ａと溝内壁９ｂが所定角度をなす角度規制溝９を中間軸部８の外側面に所定長さに形成し、取付用雄ねじ部１１を下端軸部１０に所定長さに形成したロック軸５と；受孔１４においてロック軸５の中間軸部８に嵌められ、前記角度規制溝９の溝内壁９ａ，９ｂに接離してロック軸５の回転角度を所定角度に規制する規制突起１５を受孔１４の内側面に形成してあり、ベース板２に当接して蓋１に固着される角度規制板１３と、連結孔１７においてロック軸５の下端軸部１０に相対回転不能に嵌められ、取付用雄ねじ部１１に嵌めた上下２個のナット１２によってロック軸５に連結される止め金板１６とからなり、ロック軸５の上端軸部６の上面部に操作ハンドル１８の駆動部１９と係合する受動部２０を形成し、ロック軸５の上端軸部に外側に張出した鍔部６を形成し、前記雌ねじ部４に対して前記調整用雄ねじ部７をねじ運動させることによって、前記鍔部６が固定筒体３の上端面に当接する位置を下限量として、ロック軸５の固定筒体３からの突出量を調整するようにしてある共同溝等の蓋用施錠装置。
【発明の詳細な説明】
【０００１】
【発明が属する技術分野】
本発明は通信ケ−ブルや送電ケ−ブル、上下水道管等を収納する共同溝の出入り口やマンホール等に装備された蓋の施錠装置に関するものである。
【０００２】
【従来の技術】
従来より使用されている共同溝出入り口やマンホールにおいては、設置者や事業者によって蓋の厚さの規格がまちまちであるため、蓋用施錠装置も多様な厚さ規格に対応して何種類も用意する必要がある。そのため、蓋用施錠装置は多品種少量生産とならざるを得ず、生産コストが高くなっていた。
公共投資予算の縮減に対応するため、蓋用施錠装置についても大幅なコスト削減が要請されている。
【０００３】
【発明が解決しようとする課題】
したがって本発明の目的は、蓋厚の変動に対応して簡単に高さ調節できるため、多種規格の蓋に直ちに使用でき、単一種大量生産によって生産コストの削減が可能である共同溝等の蓋用施錠装置を提供することである。
【０００４】
【課題を解決するための手段】
以下、添付図面中の参照符号を用いて説明すると、本発明の共同溝等の蓋用施錠装置は、共同溝等の蓋１に固着されるベ−ス板２と；ベ−ス板２に垂直に固着され、内周面に雌ねじ部４を高さ方向に形成した固定筒体３と；固定筒体３に挿入され、固定筒体３の雌ねじ部４に嵌められる調整用雄ねじ部７を上端軸部６の外周面に所定長さに形成し、横断面において溝内壁９ａと溝内壁９ｂが所定角度をなす角度規制溝９を中間軸部８の外側面に所定長さに形成し、取付用雄ねじ部１１を下端軸部１０に所定長さに形成したロック軸５と；受孔１４においてロック軸５の中間軸部８に嵌められ、前記角度規制溝９の溝内壁９ａ，９ｂに接離してロック軸５の回転角度を所定角度に規制する規制突起１５を受孔１４の内側面に形成してあり、ベース板２に当接して蓋１に固着される角度規制板１３と、連結孔１７においてロック軸５の下端軸部１０に相対回転不能に嵌められ、取付用雄ねじ部１１に嵌めた上下２個のナット１２によってロック軸５に連結される止め金板１６とからなり、ロック軸５の上端軸部６の上面部に操作ハンドル１８の駆動部１９と係合する受動部２０を形成し、ロック軸５の上端軸部に外側に張出した鍔部６を形成し、前記雌ねじ部４に対して前記調整用雄ねじ部７をねじ運動させることによって、前記鍔部６が固定筒体３の上端面に当接する位置を下限量として、ロック軸５の固定筒体３からの突出量を調整するようにしてある。
【０００５】
【発明の作用】
この蓋用施錠装置を共同溝等の蓋１に取付けるに当たって、蓋１の厚さｔが厚いために、出荷状態のままではロック軸５の受動部２０が蓋１の上面よりも過度に深く入り込んでしまう場合には、操作ハンドル１８の駆動部１０をロック軸５の受動部２０に係合させて、ロック軸５を所定方向に回転させる。この回転操作によって、固定筒体３の雌ねじ部４に対してロック軸５の調整用雄ねじ部７がねじ運動するため、ロック軸５は固定筒体３の軸方向に沿って上昇する。ロック軸５の上面部が蓋１の上面と面一位置に来るか、それより若干低い所定高さまで固定筒体３から突出した段階で、操作ハンドル１８の回転が停止される。
【０００６】
蓋１の厚さｔが薄いために、出荷状態のままではロック軸５の受動部２０が蓋１の上面より突き出てしまう場合には、操作ハンドル１８の駆動部１０をロック軸５の受動部２０に係合させて、ロック軸５を前記とは逆方向に回転させる。この回転操作によって、固定筒体３の雌ねじ部４に対してロック軸５の調整用雄ねじ部７がねじ運動するため、ロック軸５は固定筒体３の軸方向に沿って下降する。そして、ロック軸５の上面部が蓋１の上面と面一位置に来るか、それより若干低い所定高さまで固定筒体３から突出した段階で、操作ハンドル１８の回転が停止される。
【０００７】
ベース板２に対するロック軸５の高さ位置の調節がなされた後、ロック軸５の中間軸部８には下方側から角度規制板１３が受孔１４において嵌められ、ベース板２と角度規制板１３は重ね合わせた状態で蓋１に固着される。ロック軸５の下端軸部１０には連結孔１７において止め金板１６が相対回転不能に嵌められ、蓋受け枠体２１側の受金部２２の下面側に止め金板１６の先端部が円滑に係脱するように止め金板１６の高さ位置を調整した後、止め金板１６の基端部が上下２個のナット１２間に締付けられる。
【０００８】
止め金板１６の先端部が前記受金部２２の下面側に係合して蓋１を蓋受け枠体２１に対して開放不能に施錠している状態では、角度規制板１３の規制突起１５は、ロック軸５の角度規制溝９の一方の溝内壁９ａに当接している。
操作ハンドル１８の駆動部１９をロック軸５の上端軸部６の受動部２０に係合させて、ロック軸５を特定方向に回すと、固定筒体３の雌ねじ部４とロック軸５の調整用雄ねじ部７間のねじ運動によって止め金板１６は若干下方に移動しながら所定角度回転し、止め金板１６の先端部が受金部２２から離脱する。
これによって蓋受け枠体２１に対する蓋１の施錠が解除され、蓋１は作業員らの出入りのために開放される。ロック軸５が解錠位置に来たとき、角度規制板１３の規制突起１５には、ロック軸５の角度規制溝９の他方の溝内壁９ｂが当接することになる。
【０００９】
所要の点検作業等の終了後、作業員らが出入り口から出た後、蓋１は閉鎖される。操作ハンドル１８の駆動部１９をロック軸５の受動部２０に係合させて、ロック軸５を前記とは逆方向に回すと、固定筒体３の雌ねじ部４とロック軸５の調整用雄ねじ部７間のねじ運動によって止め金板１６は若干上方に移動しながら所定角度回転し、止め金板１６の先端部が受金部２２に係合する。これによって蓋１は蓋受け枠体２１に対して再度施錠される。
【００１０】
【発明の実施の形態】
図示の実施例では、固定筒体３とベース板２は一体物に形成されており、固定筒体部分はベース板部分の上面中央部に垂直に突き出し形成されている。なお、固定筒体３とベース板２は別体に構成し、溶接などによって接合しても良い。
ベース板２の左右端部には蓋１への固着用透孔２３が設けられている。角度規制板１３の左右端部には、角度規制板１３がベース板２の長さ方向に整列したとき、ベース板２の前記透孔２３に連通する固着用透孔２４が設けられている。ベース板２と角度規制板１３は、前記透孔２３，２４から蓋１の底板部２５の固定ナット部２６にねじ込まれるボルト２７によって、蓋１の下面に締付け固着される。
【００１１】
角度規制溝９の溝内壁９ａ，９ｂと角度規制板１３の規制突起２５との接離によって、ロック軸５は９０度の角度範囲において回転する。
操作ハンドル１８の駆動部１９は、内側空洞部の横断面が略三角形状となる筒壁部によって構成されており、ロック軸５の受動部２０は内側隆起部の横断面が略三角形状となる環状溝部によって構成されている。
ロック軸５の下端軸部１０は横断面略四角形状に形成され、取付用雄ねじ部１１は４個の角部に非連続的に形成されている。受金板１６の連結孔１７は、これに対応して略四角形状に形成されている。
【００１２】
ロック軸５は中間軸部８に嵌められ、上端軸部６と中間軸部８間の段差肩面と、角度規制板１３の間に圧縮された圧縮コイルバネ２８によって、上方に押圧付勢されている。
ロック軸５の上端軸部６には外側に張出した鍔部が形成されており、ロック軸５は蓋１の上面板部３０の受孔２９に差し込まれている。
【００１３】
【発明の効果】
以上のように本発明の蓋用施錠装置では、ロック軸５の上端軸部に外側に張出した鍔部６を形成してあり、固定筒体３の雌ねじ部４に対してロック軸５の調整用雄ねじ部７をねじ運動させることによって、前記鍔部６が固定筒体３の上端面に当接する位置を下限量として、ロック軸５の固定筒体３からの突出量を調整するようにしてあるので、操作ハンドル１８によってロック軸５を回転させるという簡単な操作によって、ベース板２に対するロック軸５の突出高さを所定長さの範囲内において任意に増減調整できるため、厚さの規格が異なる各種の蓋１に対して最適状態で直ちに適用することができる。
このように本発明の蓋用施錠装置は汎用性があるため、単一種の大量生産によって生産コストを大幅に節減することができる。また、構造も単純化されているので機械的に堅牢であり、露天において使用されても必要充分な耐久性を有する。
【図面の簡単な説明】
【図１】本発明の一実施例に係る蓋用施錠装置の平面図である。
【図２】図１の蓋用施錠装置の正面図である。
【図３】図１の蓋用施錠装置の底面図である。
【図４】図１の蓋用施錠装置に用いたロック軸の一部縦断正面図である。
【図５】図４のロック軸の底面図である。
【図６】図４のＢ−Ｂ線断面図である。
【図７】図１の蓋用施錠装置に用いた角度規制板の底面図である。
【図８】図１のＡ−Ａ線断面図であり、施錠状態を示している。
【符号の説明】
１  蓋
２  ベース板
３  固定筒体
４  雌ねじ部
５  ロック軸
６  上端軸部
７  調整用雄ねじ部
８  中間軸部
９  角度規制溝
９ａ  溝内壁
９ｂ  溝内壁
１０  下端軸部
１１  取付用雄ねじ部
１２  ナット
１３  角度規制板
１４  受孔
１５  規制突起
１６  止め金板
１７  連結孔
１８  操作ハンドル
１９  駆動部
２０  受動部
２１  蓋受け枠体
２２  受金部
２３  透孔
２４  透孔
２５  底板部
２６  固定ナット部
２７  ボルト
２８  バネ
【図１】
0003544193.tif 000002
【図２】
0003544193.tif 000003
【図３】
0003544193.tif 000004
【図４】
0003544193.tif 000005
【図５】
0003544193.tif 000006
【図６】
0003544193.tif 000007
【図７】
0003544193.tif 000008
【図８】
0003544193.tif 000009